(57)【要約】【課題】  通信容量が少なく、利用者が必要とする広告の閲覧を容易に行える広告配信システムを実現する。【解決手段】  契約者がＦＡＸ装置１からチラシを送信すると、受信したＦＡＸデータからチラシの上部に設けられたマークシート部分をＯＣＲ３が読み取る。ＦＡＸサーバ４は、受信したＦＡＸデータをＦＡＸデータ格納サーバ５に保存する。また、ＯＣＲ３が読み取ったマークシート情報から、チラシタイトルを取得する。ＤＢサーバ６は、ＦＡＸデータ格納サーバ５に保存されたチラシのＦＡＸデータを閲覧可能なＷｅｂページを生成し、そのＵＲＬをＦＡＸサーバ４へ通知する。ＦＡＸサーバ４は、チラシのタイトル情報、ＵＲＬ情報をメールサーバ７経由で利用者の携帯電話機１３へ通知する。利用者は、受信したメール内のチラシタイトルを参照し、閲覧を希望する場合にはＵＲＬに接続し、チラシを閲覧する。【選択図】図１
2006338590.tif 000002
【特許請求の範囲】
【請求項１】
各種店舗が発行する広告を送信する広告送信手段と、
前記送信された広告を受信し、当該広告の一部から当該広告の特徴を示す広告特徴情報を取得する広告特徴情報取得手段と、
前記受信した広告を保存する広告保存手段と、
前記保存した広告を閲覧するためのＷｅｂページを生成するＷｅｂページ生成手段と、
前記Ｗｅｂページを閲覧するための閲覧アプリケーションを保持する閲覧アプリケーション保持手段と、
前記広告の配信を希望する利用者を会員として登録する会員登録手段と、
前記登録した会員の情報を管理する会員情報管理手段と、
前記広告の前記広告特徴情報および当該広告の前記Ｗｅｂページのアドレスを前記会員の利用者端末へ配信する広告配信手段と、
を備え、
前記利用者端末は、
前記配信された情報を受信する広告受信手段と、
前記閲覧アプリケーションをインストールし、前記広告の前記Ｗｅｂページのアドレスへ接続し当該広告を閲覧する広告閲覧手段と、
を備えていることを特徴とする広告配信システム。
【請求項２】
前記会員登録手段は、前記広告の配信を希望する利用者のうち所定の条件を満たす場合に限定会員として登録を行い、
前記閲覧アプリケーション保持手段は、前記限定会員用の閲覧アプリケーションをさらに保持し、
前記広告は、前記閲覧アプリケーションで閲覧可能な広告と前記限定会員用の閲覧アプリケーションで閲覧可能な広告とを含むことを特徴とする請求項１に記載の広告配信システム。
【請求項３】
前記Ｗｅｂページ生成手段で前記広告のＷｅｂページを生成した後に、当該Ｗｅｂページのアドレスを当該広告の送信者の通信端末へ通知するＷｅｂページアドレス通知手段を備え、
前記通信端末は、前記通知された当該Ｗｅｂページのアドレスに接続するＷｅｂページ接続手段と、前記広告配信手段へ前記広告の配信指示または配信中止指示を行う広告配信指示手段とを備えていることを特徴とする請求項１または請求項２に記載の広告配信システム。
【請求項４】
前記広告保存手段は、前記会員専用の領域に前記広告を保存する会員専用広告保存手段を備え、
前記利用者端末は、前記会員専用広告保存手段で前記広告を保存する機能を備えていることを特徴とする請求項１から請求項３のいずれか１項に記載の広告配信システム。
【請求項５】
前記会員登録手段における登録に使用する登録用Ｗｅｂページのアドレスに前記会員の情報を暗号化して埋め込んだ会員勧誘用アドレスを発行する会員勧誘用アドレス発行手段と、
利用者が前記会員勧誘用アドレスから会員登録を行った際に、当該会員勧誘用アドレスに暗号化された情報を復号化して前記会員の情報を取得する会員情報復号手段と、
を備えていることを特徴とする請求項１から請求項４のいずれか１項に記載の広告配信システム。
【請求項６】
前記会員情報管理手段で管理する情報から所定の条件に合致する前記会員を抽出する会員抽出手段を備え、
前記広告配信手段は、前記広告情報取得手段で取得した前記広告の情報および当該広告の前記Ｗｅｂページのアドレスを前記抽出した会員の利用者端末へ配信することを特徴とする請求項１から請求項５のいずれか１項に記載の広告配信システム。
【請求項７】
前記送信手段は、ＦＡＸで送信することを特徴とする請求項１から請求項６のいずれか１項に記載の広告配信システム。
【発明の詳細な説明】
【技術分野】
【０００１】
本発明は、各種店舗が発行する広告を配信する広告配信システムに関する。
【背景技術】
【０００２】
従来、小売店等の店舗が商品やサービスの宣伝を行う場合には、利用者に広告を配布している。この広告の配布方法としては、新聞の折り込みやダイレクトメールによる郵送、街頭での配布等、様々な方法が取られている。しかし、上述のような広告の配布方法では、利用者が必要とする情報を的確に届けることが困難であった。
【０００３】
近年、携帯電話機等の通信端末の高機能化に伴い、電子化された広告（電子チラシ）を利用者の携帯電話機に直接送信する方法が提案されている。電子化チラシを配信する方法では、店舗の登録会員など特定の利用者に対して適切なタイミングで広告情報を伝えることができる利点がある。なお、本出願に関する従来技術の参考文献として、特許文献1が知られている。
【特許文献１】特開２００２−３３４２５８号公報
【発明の開示】
【発明が解決しようとする課題】
【０００４】
しかし、上述した電子チラシの配信方法では、店舗側から送られてくる電子チラシが増えると、電子チラシの占める容量が大きくなり携帯電話機等のハードディスク容量の小さい通信端末には適していない。また、特に写真等を含んだ容量の大きい電子チラシにおいては、その配信に必要となる通信容量が多く、配信を行う店舗側で負担する通信コストが高くなる。さらにまた、電子チラシを実際に見るまでその内容が分からないため、利用者が必要とする情報が容易に閲覧できない等、利用者の利便性が考慮されていないという課題があった。
【０００５】
本発明は上記事情を考慮してなされたもので、その目的は、通信容量が少なく、利用者が必要とする広告の閲覧を容易に行える広告配信システムを実現することにある。
【課題を解決するための手段】
【０００６】
本発明は上記の課題を解決するためになされたもので、請求項1に記載の発明は、各種店舗が発行する広告を送信する広告送信手段と、前記送信された広告を受信し、当該広告の一部から当該広告の特徴を示す広告特徴情報を取得する広告特徴情報取得手段と、前記受信した広告を保存する広告保存手段と、前記保存した広告を閲覧するためのＷｅｂページを生成するＷｅｂページ生成手段と、前記Ｗｅｂページを閲覧するための閲覧アプリケーションを保持する閲覧アプリケーション保持手段と、前記広告の配信を希望する利用者を会員として登録する会員登録手段と、前記登録した会員の情報を管理する会員情報管理手段と、前記広告の前記広告特徴情報および当該広告の前記Ｗｅｂページのアドレスを前記会員の利用者端末へ配信する広告配信手段と、を備え、前記利用者端末は、前記配信された情報を受信する広告受信手段と、前記閲覧アプリケーションをインストールし、前記広告の前記Ｗｅｂページのアドレスへ接続し当該広告を閲覧する広告閲覧手段と、を備えていることを特徴とする広告配信システムである。
【０００７】
また、請求項２に記載の発明は、請求項１に記載の発明において、前記会員登録手段は、前記広告の配信を希望する利用者のうち所定の条件を満たす場合に限定会員として登録を行い、前記閲覧アプリケーション保持手段は、前記限定会員用の閲覧アプリケーションをさらに保持し、前記広告は、前記閲覧アプリケーションで閲覧可能な広告と前記限定会員用の閲覧アプリケーションで閲覧可能な広告とを含むことを特徴としている。
【０００８】
また、請求項３に記載の発明は、請求項１または請求項２に記載の発明において、前記Ｗｅｂページ生成手段で前記広告のＷｅｂページを生成した後に、当該Ｗｅｂページのアドレスを当該広告の送信者の通信端末へ通知するＷｅｂページアドレス通知手段を備え、前記通信端末は、前記通知された当該Ｗｅｂページのアドレスに接続するＷｅｂページ接続手段と、前記広告配信手段へ前記広告の配信指示または配信中止指示を行う広告配信指示手段とを備えていることを特徴としている。
【０００９】
また、請求項４に記載の発明は、請求項１から請求項３のいずれか１項に記載の発明において、前記広告保存手段は、前記会員専用の領域に前記広告を保存する会員専用広告保存手段を備え、前記利用者端末は、前記会員専用広告保存手段で前記広告を保存する機能を備えていることを特徴としている。
【００１０】
また、請求項５に記載の発明は、請求項１から請求項４のいずれか１項に記載の発明において、前記会員登録手段における登録に使用する登録用Ｗｅｂページのアドレスに前記会員の情報を暗号化して埋め込んだ会員勧誘用アドレスを発行する会員勧誘用アドレス発行手段と、利用者が前記会員勧誘用アドレスから会員登録を行った際に、当該会員勧誘用アドレスに暗号化された情報を復号化して前記会員の情報を取得する会員情報復号手段と、を備えていることを特徴としている。
【００１１】
また、請求項６に記載の発明は、請求項１から請求項５のいずれか１項に記載の発明において、前記会員情報管理手段で管理する情報から所定の条件に合致する前記会員を抽出する会員抽出手段を備え、前記広告配信手段は、前記広告情報取得手段で取得した前記広告の情報および当該広告の前記Ｗｅｂページのアドレスを前記抽出した会員の利用者端末へ配信することを特徴としている。
【００１２】
また、請求項７に記載の発明は、請求項１から請求項６のいずれか１項に記載の発明において、前記送信手段は、ＦＡＸで送信することを特徴としている。
【発明の効果】
【００１３】
本発明によれば、店舗側で作成したチラシを電子化してＦＡＸサーバが管理し、店舗の登録会員の通信端末へ電子化されたチラシを表示可能なＵＲＬ情報を送信するため、ハードディスク容量の小さな通信端末でも受信可能であり、また、チラシの送信に要する通信コストを低減することができる。また、チラシのＵＲＬ情報と同時にチラシの種類を利用者に通知することで、利用者はチラシのＵＲＬへアクセスする前にそのチラシの種類を確認することが可能であり、必要なチラシを容易に選択して閲覧することができる。
【００１４】
さらにまた、送信するチラシは、パソコン等で作成したものだけでなく手書きのチラシでも、ＦＡＸデータに変換することで会員に配信可能である。さらにまた、店舗から送信されたＦＡＸを、送信した店舗の情報と結びつけることで効率よく管理を行うことができる。
【００１５】
さらにまた、店舗の会員として登録する際に、所定の条件を満たす場合に限定会員として一般の会員と区別することで、店舗が登録会員に提供するサービスの差別化を図ることができる。さらにまた、店舗側からチラシをＦＡＸサーバに登録する際、利用者の通信端末でどのように表示されるのかを店舗側で確認できる仕組みを採用しており、意図したように表示されない場合は店舗側でチラシの修正を行うことが可能である。
【００１６】
さらにまた、利用者が閲覧したチラシをストレージサーバの利用者専用領域に保存するサービスを提供することで、利用者の希望に応じてストレージサーバ内に保存されたチラシを閲覧することができる。さらにまた、店舗の会員である利用者の情報を埋め込んだ会員登録用ＵＲＬを発行することで、利用者の知人や友人が当該ＵＲＬから会員登録を行った場合に当該利用者が紹介したことを把握することが可能になり、紹介人数に応じて当該利用者に特典を与えるといった利用形態が実現できる。
【００１７】
さらにまた、会員登録時に利用者が登録した趣味・嗜好等の属性情報を用いて特定の条件に合致する会員を抽出してチラシを配信することで、自店舗の会員だけでなく他店舗の会員であっても、特定の趣味・嗜好等の属性情報を登録した会員に対してチラシを配信し、店舗が新規顧客の開拓を図ることができる。
【発明を実施するための最良の形態】
【００１８】
以下、図面を参照して本発明の実施形態について説明する。図1は本発明の実施形態にかかる広告配信システムを示した概略図である。図１において、ＦＡＸ装置（広告送信手段）１は、店舗に設置するＦＡＸである。電話通信回線２は、ＦＡＸ装置１とＦＡＸサーバ４とを接続する電話通信回線である。ＯＣＲ（広告特徴情報取得手段）３は、ＦＡＸ装置１より送信されたＦＡＸデータの文字認識等を行うものである。本実施形態では、ＦＡＸで送信する用紙の上部に図２に示したようなマークシートの記入欄を設け、このマークシート部分をＯＣＲ３で読み取る。
【００１９】
ＦＡＸサーバ４は、ＦＡＸ装置１より送信されたＦＡＸデータに圧縮やノイズ除去等のデータ処理を行うサーバである。またＦＡＸサーバ４は、契約者である店舗のＦＡＸ番号等を管理するものである。ＦＡＸデータ格納サーバ（広告保存手段）５は、ＦＡＸサーバ４でデータ処理を行ったＦＡＸデータを保存するサーバである。店舗用データ５１は、契約者である店舗のＦＡＸ装置１から受信したＦＡＸデータを、当該契約者の情報と結び付けて記憶するメモリ領域である。利用者用データ（会員専用広告保存手段）５２は、後述するチラシストレージサービスにおいてチラシのデータを保存するために店舗の会員が使用するメモリ領域である。
【００２０】
ＤＢサーバ（会員情報管理手段）６は、店舗ごとの情報や携帯電話機１３の利用者情報等をデータベース化して保管するサーバである。また、ＤＢサーバ６は、メールテンプレートを生成し、メールアドレスやその他個別の設定情報とともにメールサーバ７に送信するものである。店舗ＤＢ６１は、店舗ごとの情報、例えば図３に示した店舗毎チラシタイトルリストを記憶するメモリである。利用者ＤＢ６２は、携帯電話機１３の利用者情報、例えば図４に示した利用者ＤＢ項目を記憶するメモリである。
【００２１】
メールサーバ（広告配信手段）７は、ＤＢサーバ６から受信した情報に基づいてメールを生成するものであり、メールの送受信を管理するサーバである。ここで、メールとは電子メールおよびショートメッセージを含む。アプリケーションＤＬサーバ（閲覧アプリケーション保持手段）８は、携帯電話機１３で電子チラシを閲覧するときに必要なアプリケーションを保存するサーバである。なお、電子チラシとは、ＦＡＸ装置１より送信されたＦＡＸデータをＷｅｂページで表示したものである。ＷＷＷサーバ９は、携帯電話機１３からインターネット１０を介して電子チラシを閲覧可能なＷｅｂページを保持するサーバである。
【００２２】
インターネット１０は、ＷＷＷサーバ９、携帯電話機１３、店舗端末１２等を接続するネットワークである。携帯事業者網１１は、アプリケーションＤＬサーバ８、利用者の携帯電話機１３間を接続するネットワークである。店舗端末（通信端末）１２は、ＦＡＸ装置１を設置した店舗の通信端末である。携帯電話機（利用者端末）１３は、利用者の所持する携帯電話機である。
【００２３】
次に、上述した実施形態の動作を図５から図８を参照して説明する。図５は、携帯電話機１３がＤＢサーバ６へ店舗の会員登録を行い、電子チラシの配信サービスを開始する手順を示したフローチャートである。図５において、まず利用者は携帯電話機１３からＤＢサーバ６に対してメールを送信する（ステップＳ１０１）。ここで送信するメールは、タイトルおよび本文を記載しない空メールでよい。この空メールは、携帯事業者網１１を介してメールサーバ７で受信される。
【００２４】
メールサーバ７は受信した空メールの送信元メールアドレスが、すでに登録されているかどうかをＤＢサーバ６に確認する（ステップＳ２０１）。ＤＢサーバ６にすでに登録されている場合には（ステップＳ２０１：Ｎｏ）、登録済みである旨のメッセージを携帯電話機１３へメールで送信し（ステップＳ２０２）、登録の手順を終了する。メールサーバ７からの登録済みメールを携帯電話機１３が受信すると、登録の手順を終了する。
【００２５】
一方、ＤＢサーバ６に登録されていないメールアドレスであった場合には（ステップＳ２０１：Ｙｅｓ）、メールサーバ７は会員登録を行うＵＲＬを記載したメールを携帯電話機１３に送信する（ステップＳ２０３）。このメールを携帯電話機１３で受信すると、利用者は受信したメールに記載されたＵＲＬをクリックし、会員登録用のページに接続する（ステップＳ１０２）。
【００２６】
会員登録用のページで必要事項（例えば、図４に示した情報）を登録し、登録の承諾を行うと（ステップＳ１０３）、携帯電話機１３の機種が本実施形態の電子チラシ配信システムに対応可能な機種であるかを判定する（ステップＳ１０４）。対応機種でなければ（ステップＳ１０４：Ｎｏ）、携帯電話機１３の画面は会員登録用のページからサービス利用不可のページに遷移し（ステップＳ１０５）、利用者に対応機種でないことを知らせて携帯電話機１３は会員登録の手順を終了する。
【００２７】
一方、携帯電話機１３が対応機種であった場合には（ステップＳ１０４：Ｙｅｓ）、会員登録用ＵＲＬで登録した利用者情報をＷＷＷサーバ９に送信する（ステップＳ１０６）。ＷＷＷサーバ９は受信した利用者情報をＤＢサーバ６へ転送し、ＤＢサーバ６は利用者ＤＢ６２に利用者情報を登録する（会員登録手段）。登録が完了すると、ＤＢサーバ６は登録完了の通知をメールサーバ７へ送信する。メールサーバ7が登録完了通知を受信すると（ステップＳ２０４）、登録完了メールを携帯電話機１３へと送信し（ステップＳ２０５）、会員登録の手順を終了する。
【００２８】
一方、登録完了メールを受信した携帯電話機１３は、ダウンロード画面にてアプリケーションＤＬサーバ８から閲覧用アプリケーションのダウンロードを行う（ステップＳ１０７）。ダウンロードが完了すると、携帯電話機１３の画面にサンプル画像を表示し（ステップＳ１０８）、会員登録の手順を終了する。
【００２９】
図５に示した会員登録の手順では、一般の会員とは区別して限定会員としての登録を行うことが可能である。具体的には、ステップＳ１０２で利用者の情報を登録する際に、合言葉を入力させ、ステップＳ１０６で利用者情報をＷＷＷサーバ９へと送信したときに予め設定された合言葉と利用者が入力した合言葉とを比較する。ＷＷＷサーバ９は合言葉が合致した場合にのみ、ＤＢサーバ６へ限定会員としての登録を行うように指示を出す。
【００３０】
さらに、アプリケーションＤＬサーバ８には、一般会員用とは別に限定会員用の閲覧用アプリケーションを用意し、ステップＳ１０７で行うダウンロードにおいて、利用者がいずれかを選択可能とする。ここで、限定会員用の閲覧用アプリケーションを利用者がダウンロードしようとした場合には、アプリケーションＤＬサーバ８がＤＢサーバ６へその利用者が限定会員であるかを確認し、限定会員として登録されている場合にのみダウンロードを許可する。
【００３１】
さらに、限定会員向けの電子チラシに識別コードを埋め込み、限定会員用の閲覧アプリケーションのみがその識別コードを読み取れるようにすることで、限定会員のみが閲覧可能とすることができる。このように、一般会員と限定会員とで閲覧可能な電子チラシの種類を区別することで、サービスの差別化を図ることが可能である。
【００３２】
続いて、図６を参照して店舗側の契約者がＦＡＸサーバ４にチラシの登録を行う手順を説明する。店舗は、電子チラシの配信サービス契約時に、ＦＡＸサーバ４に対しては使用するＦＡＸ番号を、ＤＢサーバ６に対しては図３の店舗毎チラシタイトルリストを登録する。登録が完了するとその店舗は契約者となり、後述する手順で利用者にチラシを配信することができる。
【００３３】
図６において、まず契約者が作成したチラシをＦＡＸ装置１から送信を行う。ここで、チラシの作成に使用する用紙には、その上部に図２に示したマークシートの記入欄が設けてあり、マークシートに記載する番号は図３の店舗毎チラシタイトルリストの番号と対応している。契約者は、チラシの種類に応じてマークシートの番号部分を塗りつぶし、送信を行う。
【００３４】
ＦＡＸ装置１より送信されたチラシは、電話通信回線２を介してＯＣＲ３でＦＡＸデータとして取り込まれる。このとき、チラシのマークシート部分がＯＣＲ３で読み取られ、読み取った番号がＦＡＸサーバ４へＦＡＸデータとともに送信される。ＯＣＲ３でマークシートの読み取りに失敗した場合は、エラーメッセージをＦＡＸサーバ４へＦＡＸデータとともに送信する。
【００３５】
ＦＡＸサーバ４がＦＡＸデータを受信すると（ステップＳ３０１）、ＦＡＸデータが規定の様式に合致しているかの判定を行う（ステップＳ３０２）。ここでは、ＯＣＲ３からマークシートの番号を受信したときには合致していると判定し、エラーメッセージを受信したときには合致していないと判定する。
【００３６】
合致していないと判定した場合は（ステップＳ３０２：Ｎｏ）、受信したＦＡＸデータを画像サーバ（図示せず）に保存してチラシ登録の手順を終了する（ステップＳ３０３）。一方、合致していると判定した場合は（ステップＳ３０２：Ｙｅｓ）、ＦＡＸサーバ４は受信したＦＡＸデータの送信元ＦＡＸ番号を調べ、契約者として登録されているＦＡＸ番号かを確認する（ステップＳ３０４）。
【００３７】
登録されていないＦＡＸ番号であった場合には（ステップＳ３０４：Ｎｏ）、受信したＦＡＸデータを画像サーバ（図示せず）に保存してチラシ登録の手順を終了する（ステップＳ３０３）。一方、登録されているＦＡＸ番号であった場合には（ステップＳ３０４：Ｙｅｓ）、ＦＡＸデータをＦＡＸデータ格納サーバ５の店舗用データ５１に保存する（ステップＳ３０５）。店舗用データ５１では、ＦＡＸデータと、当該ＦＡＸデータを送信した店舗の情報（送信元ＦＡＸ番号、店舗識別番号等）を結び付けて保存する。
【００３８】
続いて、ＦＡＸサーバ４は保存したＦＡＸデータを参照するためのチラシ参照用ＵＲＬの発行をＤＢサーバ６に依頼する（ステップＳ３０６）。このとき、ＤＢサーバ６は当該ＦＡＸデータを参照可能なＷｅｂページを生成し（Ｗｅｂページ生成手段）、外部からの閲覧時に使用するアドレスをチラシ参照用ＵＲＬとして発行する。ここで、ＷｅｂページをＨＴＭＬ（ＨｙｐｅｒＴｅｘｔ  Ｍａｒｋｕｐ  Ｌａｎｇｕａｇｅ）言語で作成すると、利用者の携帯電話機１３が閲覧アプリケーションのダウンロードを行わずにチラシのＷｅｂページを閲覧することが可能になる。ＤＢサーバ６からチラシ参照用ＵＲＬの発行を受けると、ＦＡＸサーバ４は利用者へのチラシ告知メール送信に必要な情報をＤＢサーバ６から取得する（ステップＳ３０７）。
【００３９】
ステップＳ３０７では、ＤＢサーバ６が保持する図３の店舗毎チラシタイトルリストからＯＣＲ３で読みとった番号に対応する設定文面（チラシタイトル）を取得する。その他、送信元である店舗のメールアドレス、送信先のメールアドレス、メールタイトル、メール本文のフォーム、店舗の識別番号等をＤＢサーバ６から取得する。ここで、送信先とは図５で示した手順で会員登録を行っているすべての利用者の携帯電話機である。
【００４０】
ＦＡＸサーバ４はチラシ参照用ＵＲＬおよびステップＳ３０７で取得した情報をメールサーバ７へ送信し、利用者へのチラシ告知メールの送信をメールサーバ７に指示する（ステップＳ３０８）。ＦＡＸサーバ４から指示を受けたメールサーバ７は、受信した情報に基づいてチラシ告知メールを作成し、利用者への送信を行う。
【００４１】
本実施形態では、チラシ告知メールではチラシの画像データを送信せず、容量の小さいテキストデータであるＵＲＬを送信するため、多くの会員に配信を行う場合においても通信コストを低く抑えることが可能である。また、利用者は、チラシ告知メール内のチラシタイトルからチラシの種類を把握することが可能であり、必要なチラシだけを選択して閲覧することができる。
【００４２】
図６のチラシ登録の手順では、さらにチラシ告知メール送信前にチラシ参照用ＵＲＬを契約者に送信する手順を付け加えることで、契約者が自分の携帯電話機でチラシの表示を確認することができる。具体的には、ステップＳ３０６でＤＢサーバ６からチラシ参照用ＵＲＬの発行を受けた後に、契約者の携帯電話機へ通知メールを送信し、チラシを格納した旨およびチラシ参照用ＵＲＬを通知する（Ｗｅｂページアドレス通知手段）。
【００４３】
契約者が通知メールを受信すると、チラシ参照用ＵＲＬにアクセスし（Ｗｅｂページ接続手段）、携帯電話機のＷｅｂ画面上でチラシのイメージを確認する。ＦＡＸ装置１からＦＡＸ送信時に用紙の裏表を逆にしてしまった場合や、チラシの画像が不鮮明であった場合には、Ｗｅｂ画面上から送信キャンセルを行う（広告配信指示手段）。契約者が送信キャンセルの指示を発行すると、ステップＳ３０５で店舗用データ５１に保存されたチラシのＦＡＸデータが削除され、チラシ登録の手順を終了する。一方、Ｗｅｂ画面上で契約者が送信指示を行うと（広告配信指示手段）、ステップＳ３０７以降の処理を行う。
【００４４】
続いて、図７を参照して、店舗の会員である利用者が携帯電話機１３でチラシを閲覧する手順について説明する。利用者の携帯電話機１３がチラシ告知メールを受信すると（広告受信手段、ステップＳ４０１）、利用者はチラシ告知メール内のチラシタイトルからチラシの種類を参照する。利用者がチラシの種類を参照して閲覧を希望する場合には、チラシ告知メール内に記載のＵＲＬをクリックし、チラシ参照用ＵＲＬへアクセスする（ステップＳ４０２）。
【００４５】
続いて、利用者が閲覧しようとするチラシが携帯電話機１３で閲覧可能かどうかを判定する（ステップＳ４０３）。携帯電話機１３で閲覧用アプリケーションがインストールされていない場合や、閲覧用アプリケーションが最新のバージョンではないために表示できない場合には、対応機種でないと判定する（ステップＳ４０３：Ｎｏ）。このとき、サービス利用不可の画面へと遷移し、利用者にチラシが閲覧できない旨を通知する（ステップＳ４０４）。サービス利用不可の画面から、さらに閲覧用アプリケーションのダウンロード画面に遷移し、最新の閲覧用アプリケーションをダウンロードするように利用者を誘導することも可能である。
【００４６】
一方、携帯電話機１３の閲覧用アプリケーションでチラシを閲覧可能な場合は、対応機種であると判定し（ステップＳ４０３：Ｙｅｓ）、自動的に閲覧用アプリケーションを起動する（ステップＳ４０５）。閲覧用アプリケーションの起動が終了すると、ＦＡＸデータ格納サーバ５の店舗用データ５１からチラシのデータを取得し（ステップＳ４０６）、携帯電話機１３の画面に表示する（広告閲覧手段、ステップＳ４０７）。
【００４７】
本実施形態では、利用者がチラシを閲覧するか閲覧しないかを選択することができ、閲覧を希望しないチラシのデータは携帯電話機１３で取得しない。このため、利用者が必要としないチラシのデータ取得に時間を取られることがない。また、携帯電話機１３の画面で表示したチラシを保存するサービスを追加することで、利用者の利便性を向上させることが可能である。
【００４８】
チラシを保存するサービスの一形態として、チラシをストレージサーバ上の利用者専用のフォルダに保存するというチラシストレージサービスを説明する。具体的には、利用者がチラシストレージサービスを申し込むと、ＦＡＸデータ格納サーバ５の利用者用データ５２にストレージサービス会員専用フォルダが作成される。
【００４９】
利用者がチラシを保存する操作を携帯電話機１３で行った場合、チラシストレージサービスを登録しているとストレージサービス会員専用フォルダに保存することが可能になる。ストレージサービス会員専用フォルダへの保存を利用者が選択すると、チラシのデータがストレージサービス会員専用フォルダへ保存され、その保存先のＵＲＬ情報がメールサーバ７より携帯電話機１３へ通知される。
【００５０】
以後、メールで通知されたＵＲＬにアクセスすることで、利用者は保存したチラシをいつでも閲覧することが可能である。利用者が複数のチラシを保存した場合には、プルダウンメニュー等でチラシを選択して閲覧を行う。チラシストレージサービスでは、店舗側の契約者が登録したチラシのＦＡＸデータ格納サーバ５での保存期限が切れ、当該チラシのデータが削除された後であっても、利用者はストレージサービス会員専用フォルダから当該チラシを自由に閲覧することができる。
【００５１】
続いて、本実施形態を応用したサービスの一形態として、店舗の会員である利用者が知人や友人等を紹介することで店舗側から特典等の提供を受けるサービスを説明する。まず、店舗の会員である利用者が、携帯電話機１３からＷＷＷサーバ９に対してＦＡＸ会員勧誘用ＵＲＬの発行依頼を行う。続いて、ＷＷＷサーバ９は、依頼元の利用者を特定可能なＦＡＸ会員勧誘用ＵＲＬの発行をＤＢサーバ６へ依頼する。
【００５２】
ＤＢサーバ６は、ＷＷＷサーバ９からの依頼を受けると会員登録用のＷｅｂページに接続可能なアドレスをＦＡＸ会員勧誘用ＵＲＬとして発行する。ここで発行するＦＡＸ会員勧誘用ＵＲＬには、依頼した利用者の情報を暗号化して埋め込む（会員勧誘用アドレス発行手段）。ＤＢサーバ６からＦＡＸ会員勧誘用ＵＲＬの発行を受けると、ＷＷＷサーバ９はそのＵＲＬをメールサーバ７へ送信し、利用者への通知を指示する。
【００５３】
携帯電話機１３でメールサーバ７からＦＡＸ会員勧誘用ＵＲＬの通知を受信すると、利用者は知人や友人にＦＡＸ会員勧誘用ＵＲＬを通知する。利用者の知人や友人が、通知されたＦＡＸ会員勧誘用ＵＲＬ経由で登録を行った場合、ＦＡＸ会員勧誘用ＵＲＬに暗号化されて埋め込まれている情報を復号し（会員情報復号手段）、ＤＢサーバ６は勧誘を行った利用者を特定する。利用者が勧誘を行った人数が一定数以上になった場合、ＤＢサーバ６は当該利用者の情報をメールサーバ７へ通知する。メールサーバ７は、受信した利用者情報に基づいて特典メールを作成し、当該利用者へ送信する。
【００５４】
続いて、本実施形態を応用したサービスの別の形態として、契約者が自店舗の会員だけでなく他店舗の会員に対してチラシを配信する手順を、図８を参照して説明する。図８において、契約者がＦＡＸ装置１からチラシをＦＡＸで送信すると（ステップＳ５０１）、図６のステップＳ３０１〜ステップＳ３０６と同様の手順でＦＡＸデータ格納サーバ５にチラシのデータが保存される（ステップＳ６０１）。
【００５５】
その後、ＦＡＸサーバ４はチラシの格納先ＵＲＬをメールサーバ７経由で店舗端末１２へ通知メールを送信する（ステップＳ６０２）。通知メールを受信すると、契約者は店舗端末１２からＷＷＷサーバ９経由でチラシの格納先ＵＲＬへアクセスする（ステップＳ５０２）。契約者が自店舗以外の会員にチラシを配信する対象者の条件を設定すると、当該設定条件はＷＷＷサーバ９でＤＢサーバ６へと通知される（ステップＳ５０３）。
【００５６】
通知を受けたＤＢサーバ６は、契約者の店舗および関連した他の店舗の会員の中から、指定された設定条件に合致する対象者の人数を調べ（会員抽出手段）、ＷＷＷサーバ９経由で店舗端末１２へ送信する。店舗端末１２で対象者の人数を受信すると（ステップＳ５０４）、契約者はチラシを送信するか否かを選択する（ステップＳ５０５）。対象者の人数が多い場合等で契約者がＷｅｂ画面から送信キャンセルを指示すると（ステップＳ５０５：Ｎｏ）、ＷＷＷサーバ９を介してＦＡＸデータ格納サーバ５へ送信キャンセルの情報が通知され、ステップＳ６０１で保存したチラシのデータが削除される（ステップＳ５０６）。
【００５７】
一方、契約者がＷｅｂ画面から送信指示を行うと（ステップＳ５０５：Ｙｅｓ）、ＷＷＷサーバ９を介してＦＡＸサーバ４へ送信指示が通知される。送信指示を受信したＦＡＸサーバ４は、ＤＢサーバ６より送信先のメールアドレス等の情報を取得し（ステップＳ６０３）、メールサーバ７へチラシの送信を指示する（ステップＳ６０４）。
【００５８】
ステップＳ５０３で設定する条件としては、図４に示した住所や趣味・嗜好等の属性情報を用いる。また、他店舗からのチラシの配信を希望するかどうかを利用者が登録し、配信を希望する利用者にのみ他店舗からチラシを配信することもできる。このように、自店舗の会員だけでなく他店舗の会員に対してもチラシを送信することで、新規顧客の開拓につながるという効果が期待される。
【００５９】
以上、本発明の実施形態を詳述してきたが、具体的な構成は上記実施形態に限られることはなく、本発明の要旨を逸脱しない範囲での設計変更を行うことも可能である。例えば、チラシを作成する用紙には、マークシートの記入欄だけでなくフリーワードを記入可能な欄を設け、契約者がフリーワードで記入した内容をＯＣＲ３で読み取ることも可能である。読み取った内容をＦＡＸサーバ4がチラシ告知メールのタイトルや本文として使用することで、契約者がチラシ告知メールの内容を自由に設定することができる。また、利用者が会員登録時または会員登録後に、チラシ告知メールを受信する時間帯等を設定可能とすることで、利用者の都合のよいときにのみチラシ告知メールを受信することができる。さらにまた、本発明は、本実施形態で説明したチラシだけでなく、紙の文書をネットワークを介して利用者の端末へ配信する形態に適用可能であり、チラシ等での広告に利用する以外にも様々な分野に応用可能である。
【産業上の利用可能性】
【００６０】
本発明は、各種店舗が発行する広告を配信する広告配信システムに用いて好適である。また、飲食業における手書きメニューや時候の挨拶、割引クーポン、お休み情報等の営業案内を配信するシステムに活用することが可能である。さらにまた、芸能プロダクションが展開する公式ファンクラブにおいて、会員が芸能人本人からの直筆ＦＡＸを特典として閲覧するといった適用が可能である。
【００６１】
さらにまた、本部からの業務連絡においてＦＡＸを活用している支店、営業所、店舗などにおいて、業務の効率化を図るための手段として活用できる。さらにまた、不動産業において、各所に散在する営業担当に最新の物件情報（見取り図等）を配信するシステムに活用できる。さらにまた、保育園・託児所における父兄向けの連絡・周知方法や町内会・自治会における回覧板的な連絡方法として活用できる。
【図面の簡単な説明】
【００６２】
【図１】本発明の実施形態にかかる広告配信システムを示した概略図である。
【図２】図１のＦＡＸ装置１から送信するＦＡＸ用紙のマークシート部分を示した図である。
【図３】図１の店舗ＤＢ６１で記憶する店頭毎チラシタイトルリストの一例を示した図である。
【図４】図１の利用者ＤＢ６２で保持する携帯電話機１３の利用者情報の一例を示した図である。
【図５】携帯電話機１３がＤＢサーバ６へ登録を行い、電子チラシの配信サービスを開始する手順を示したフローチャートである。
【図６】店舗側の契約者がＦＡＸサーバ４にチラシの登録を行う手順を示したフローチャートである。
【図７】利用者が携帯電話機１３でチラシを閲覧する手順を示したフローチャートである。
【図８】契約者が自店舗の会員だけでなく他の店舗の会員に対してチラシを配信する手順を示したフローチャートである。
【符号の説明】
【００６３】
１    …  ＦＡＸ装置（広告送信手段）
２    …  電話通信回線
３    …  ＯＣＲ（広告特徴情報取得手段）
４    …  ＦＡＸサーバ
５    …  ＦＡＸデータ格納サーバ（広告保存手段）
６    …  ＤＢサーバ（会員情報管理手段）
７    …  メールサーバ（広告配信手段）
８    …  アプリケーションＤＬサーバ（閲覧アプリケーション保持手段）
９    …  ＷＷＷサーバ
１０  …  インターネット
１１  …  携帯事業者網
１２  …  店舗端末（通信端末）
１３  …  携帯電話機（利用者端末）
５１  …  店舗用データ
５２  …  利用者用データ
６１  …  店舗ＤＢ
６２  …  利用者ＤＢ
【図１】
2006338590.tif 000003
【図２】
2006338590.tif 000004
【図３】
2006338590.tif 000005
【図４】
2006338590.tif 000006
【図５】
2006338590.tif 000007
【図６】
2006338590.tif 000008
【図７】
2006338590.tif 000009
【図８】
2006338590.tif 000010